(57)【要約】      （修正有）【課題】用紙裁断抵抗による用紙曲がりの発生を防止して裁断位置ずれを防止する新たな断裁時用紙固定方法、ならびに用紙送り量の誤差を防止する枚葉紙の断裁方法を提供する。【解決手段】切断直前に刃先と刃受けとの間隙で用紙を固定し、その状態で更なる加圧によって切断を行う。また、刃先の不連続な刃物で枚葉紙給紙横方向を不連続・選択的に断裁し、非断裁部分を残したままで下流に送り、下流側に配置される給紙縦方向の裁断装置（スリッター刃など）によって完全に断裁分割する。【選択図】図２
2007083378.tif 000002
【特許請求の範囲】
【請求項１】
枚葉紙を給紙方向と横切る方向で断裁分割する装置において、断裁用刃物の刃先と刃先を受ける平滑面との間に枚葉紙を挟み込んで枚葉紙の位置を固定した状態で枚葉紙の加圧断裁を行い、断裁位置ずれの発生を排除したことを特徴とする枚葉紙断裁分割装置。
【請求項２】
枚葉紙を給紙方向とこれを横切る方向の２方向で断裁分割する装置において、給紙方向を横切る方向に断裁する刃物の刃先部分が不連続で、枚葉紙が不連続・選択的に断裁されることによって、枚葉紙が断裁過程で分断されることなく送られ、断裁後の用紙送りローラーの銜え替えによる用紙送り量（断裁長さ）の誤差が排除され、しかも、これに続く給紙方向の裁断機構位置で枚葉紙の断裁分割を一括完了できることを特徴とする枚葉紙断裁分割装置。
【発明の詳細な説明】
【技術分野】
【０００１】    本発明は、枚葉紙を給紙方向と横切る方向（以下、給紙横方向と称す）、もしくは給紙方向（以下、給紙縦方向と称す）との２方向で断裁し、給紙された枚葉紙の寸法と異なる寸法の断裁紙、もしくは複数以上に分割された断裁紙を得る装置に関し、給紙横方向の断裁位置ずれの発生が排除され、しかも給紙縦方向の用紙送り量誤差が無く、優れた寸法精度の断裁紙が得られる枚葉紙断裁分割装置に関する。
【背景技術】
【０００２】    従来の技術では、給紙横方向の断裁には、専ら、上下一対の刃で用紙を挟んで切るハサミと同属のシャー断裁機構（ギロチン断裁機、ロータリー・カッターなど）が用いられ、図１に示される通り、用紙１と平行に配置される受刃２と用紙１に対峙して角度をもって配置される上刃３によって構成され、受刃２の刃先と上刃３の刃先が両者間の接触与圧によって点接触し、上刃３の上下運動によって刃先の接触点４が用紙上を移動して用紙が断裁される。また、シャー断裁機構では、用紙断裁の際に刃先の接触点４が用紙幅より広い断裁幅の範囲を１往復する必要があり、断裁によって断裁機構の前後で用紙が必ず分断される
【発明の開示】
【発明が解決しようとする課題】
【０００３】    刃先の接触点４が用紙上を給紙横方向に移動しながら用紙１を漸次裁断して行くため、刃先の接触点４と用紙との間の裁断抵抗によって用紙の裁断点が刃先の接触点４の移動方向に押され、裁断中に用紙曲がりが発生して裁断位置がずれる恐れがあった。【０００４】    用紙裁断抵抗による用紙曲がりの発生を防止して裁断位置ずれを防止するためには用紙裁断中に用紙位置を固定する機構が必要となるが、断裁機構前後の寸法関係から、断裁機構から短距離内で用紙を固定することには限界が発生し、裁断位置ずれを防止できる断裁長さに実用上の下限値が発生する。【０００５】    シャー断裁機構では構造上、受刃２と上刃３の刃先が両者間の接触与圧によって常時点接触している必要があり、給紙横方向の裁断を途中で停止し、あるいは途中で開始し、断裁を不連続・選択的に行う事ができないため、用紙は断裁によって給紙方向の前後に分断され、用紙の断裁を続ける場合には、断裁機構下流側の用紙搬送ローラーで銜え直す必要があり、用紙送り量に誤差を発生する恐れがあった。【０００６】    本発明は、上記各点に鑑みてなされたものであり、用紙断裁位置ずれを防止するための新たな断裁時用紙固定方法、ならびに用紙送り量に誤差を発生するおそれのある枚葉紙の断裁分断を防止する断裁方法を提供する。
【課題を解決するための手段】
【０００７】    本発明は、枚葉紙を給紙横方向に断裁する際に、断裁用刃物の刃先と刃先を受ける平滑面との間で枚葉紙を挟み込んで枚葉紙の位置を固定した状態として枚葉紙を加圧断裁することにより、断裁位置ずれの発生が排除されることを特徴としている。【０００８】    特には、刃先の不連続な刃物を用い、枚葉紙給紙横方向を不連続・選択的に断裁し、枚葉紙断裁部分に非断裁部分が残されることによって枚葉紙が断裁・分断されることなく送られ、用紙の搬送ローラー銜え替えによる用紙送り量誤差の発生が排除されていることを特徴としている。【０００９】    また更には、枚葉紙が断裁機構で分断されることなく送られ、給紙横方向の断裁機構の下流側に配置される給紙縦方向の裁断装置（スリッター刃など）によって、給紙縦方向の裁断装置の位置で枚葉紙の断裁分割を完了できることを特徴としている。
【発明の効果】
【００１０】    このように、本発明においては枚葉紙の給紙横方向の断裁を刃物の刃先と平滑面との間に枚葉紙を挟んで加圧固定してから行うことにより、用紙裁断中の断裁位置ずれを防止するための用紙固定機構を省略することができた。また、枚葉紙の給紙横方向の断裁を不連続・選択的として断裁機構での用紙の分断を無くし、断裁機構下流側の用紙送りローラーでの銜え直しによる用紙送り量誤差の発生を排除し、且つ、その後の給紙縦方向の裁断によって枚葉紙の断裁分割を一括して完了することができた。
【実施例１】
【００１１】    以下、本発明の実施例を、図面を参照して説明する。図２は本発明による枚葉紙の給紙横方向断裁分割装置の一例を示している。断裁分割装置は、枚葉紙の送り出し量（断裁長さ）を決定する給紙機構と、枚葉紙を給紙横方向に断裁するための断裁機構とによって構成される。枚葉紙の給紙機構は断裁長さを計量して送り出すための一対の給紙ローラー５によって構成することができ、また、枚葉紙の断裁機構は鋭利な刃先を持つ断裁用刃物６と断裁用刃物の刃先を受ける平滑面７によって構成される。【００１２】    図３は用紙１が断裁用刃物６の刃先と平滑面７との間隙によって位置固定されている状態を示している。断裁用刃物６の刃先と平滑面７は平行に配置され、その間隙は断裁用刃物６、平滑面７のいずれか、もしくは両者の移動によって狭められる。この状態では用紙１が給紙ローラー５、および断裁用刃物６の刃先と平滑面７との間隙によって固定され、断裁が完了するまで用紙１は移動変形することができず、断裁位置にずれが発生することはない。【００１３】    図４は断裁用刃物６の平滑面７に対する更なる加圧によって用紙１が断裁・分断され、断裁用刃物６の刃先が平滑面７と接触している状態を示している。この過程で断裁・分断された断裁紙８の断裁長さ（Ｘ）は用紙１の送り量によって任意に設定できることは明白である。【００１４】    枚葉紙断裁残紙（１０）の長さ（Ｙ）は用紙固定の都合上、給紙ローラー５のニップ位置と断裁用刃物６の刃先位置との間の距離（Ａ）を下回ることができない。しかしながら、図５に示される如く、断裁用刃物６の下流側に断裁紙搬送ローラー９を追加することで、枚葉紙終端１つ前の断裁長さが断裁用刃物６の刃先位置と断裁紙搬送ローラー９のニップ位置との間の距離（Ｂ）より長ければ、枚葉紙断裁残紙（１０）の長さ（Ｙ）も任意設定することが可能となる。
【実施例２】
【００１５】    実施例１は枚葉紙の給紙横方向全幅より広い幅の断裁用刃物６を使用し、給紙横方向の幅が変わらず給紙縦方向の断裁長さが任意の断裁紙を得る枚葉紙断裁分割装置を例示している。実施例２では枚葉紙の給紙横方向全幅より狭い刃先幅の断裁用刃物１１を使用し、給紙横方向の幅、および給紙縦方向の断裁長さが給紙される枚葉紙と異なる寸法の断裁紙を得る枚葉紙断裁分割装置を例示している。【００１６】    図６は給紙横方向全幅より狭い刃先幅の断裁刃物１１を使用し、給紙される枚葉紙の全幅中央付近に断裁分割用の切れ目１２が入れられている状態を示している。この状態では、枚葉紙給紙横方向両端が切り離されておらず、断裁機構下流側の断裁紙搬送ローラー９に連続的に送られ、ローラーの用紙銜え替えによる用紙送り量（断裁長さ）の誤差が排除されている。図６で示される装置で断裁分割用の切れ目１２が加工された枚葉紙の状態が図７に示されている。【００１７】    図８は、枚葉紙給紙縦方向の裁断機能を与えるため図６に示される断裁紙搬送ローラー９にスリッタ刃の如き給紙縦方向裁断装置１３を装備した状態を示す。図７に示される断裁分割用の切れ目１２が加工された状態の枚葉紙を給紙縦方向裁断装置１３によって裁断予定線１５の位置で裁断すると図９に示される如く縦方向裁断位置１４で設定寸法の断裁紙に分断される。【００１８】    図８、および図９では給紙方向に１条の断裁例のみが示されているが、２条、もしくはそれ以上に分割断裁することも可能である。この場合、給紙横方向の断裁に使用される断裁用刃物は図１０に示されるように断裁用刃物複数枚を間隔を開けて並べるか、もしくは図１１に示されるように１枚の断裁刃物の刃先に削除部分１６を設けて使用することができる。
【図面の簡単な説明】
【００１９】
【図１】  従来技術による給紙横方向の断裁方法
【図２】  本発明による枚葉紙の給紙横方向の断裁分割装置
【図３】  断裁用刃物の刃先と平滑面との間隙による用紙の位置固定状態
【図４】  断裁用刃物の刃先と平滑面とによる用紙の断裁・分割状態
【図５】  断裁紙搬送ローラーの追加による枚葉紙終端断裁長さの任意設定方法
【図６】  給紙横方向全幅より刃先幅の狭い断裁刃物による断裁分割用切れ目の加工
【図７】  枚葉紙の断裁分割用切れ目の加工状態
【図８】  給紙縦方向裁断機能の追加
【図９】  断裁分割用切れ目加工後の枚葉紙の給紙縦方向裁断による断裁紙分割
【図１０】  複数枚以上の断裁用刃物を使用した多状分割断裁用刃物
【図１１】  断裁用刃物の刃先を部分削除した多状分割断裁用刃物
【符号の説明】
【００２０】１．        断裁用用紙
２．        従来技術で使用されているシャー断裁機構用受刃
３．        従来技術で使用されているシャー断裁機構用上刃
４．        従来技術のシャー断裁機構における刃先の接触点
５．        枚葉紙の給紙ローラー
６．        本発明の断裁用刃物
７．        本発明の断裁用刃物の刃先を受ける平滑面
８．        本発明で断裁・分断された断裁紙
９．        断裁紙搬送ローラー
１０．枚葉紙断裁残紙
１１．給紙横方向全幅より狭い刃先幅の断裁用刃物
１２．断裁分割用の切れ目
１３．給紙縦方向裁断装置
１４．給紙縦方向裁断位置
１５．裁断予定線
１６．断裁用刃物の刃先の削除部分
【図１】
2007083378.tif 000003
【図２】
2007083378.tif 000004
【図３】
2007083378.tif 000005
【図４】
2007083378.tif 000006
【図５】
2007083378.tif 000007
【図６】
2007083378.tif 000008
【図７】
2007083378.tif 000009
【図８】
2007083378.tif 000010
【図９】
2007083378.tif 000011
【図１０】
2007083378.tif 000012
【図１１】
2007083378.tif 000013